(57)【特許請求の範囲】
【請求項１】
基地局であって、
無線端末を特定状態に遷移させ、前記特定状態は、前記無線端末用の接続が前記基地局とコアネットワークとの間に維持されつつ、ＲＲＣコネクティッド状態に比べて前記無線端末用のシグナリングが抑制される状態である、制御部と、
前記特定状態に遷移させる前記無線端末を識別する識別子と共に、前記ＲＲＣコネクティッド状態から前記特定状態への遷移を示す第１のＲＲＣ遷移通知を前記コアネットワークのエンティティに送信する送信部と、を備え、
前記制御部は、前記無線端末を前記特定状態から前記ＲＲＣコネクティッド状態に遷移させ、
前記送信部は、前記無線端末が前記特定状態から既に離れており、かつ前記ＲＲＣコネクティッド状態に既に入っていることを示す第２の遷移通知を前記エンティティに送信する
基地局。
【請求項２】
前記制御部は、ＲＲＣ解放メッセージを前記無線端末に送信することにより、前記無線端末を前記特定状態に遷移させ、
前記ＲＲＣ解放メッセージは、前記無線端末のＲＲＣ接続の復旧に用いる所定の識別子を含む
請求項１に記載の基地局。
【請求項３】
前記所定の識別子を含むＲＲＣ復旧要求メッセージを前記無線端末から受信する受信部をさらに備える
請求項２に記載の基地局。
【請求項４】
コアネットワークのエンティティであって、
無線端末を識別する識別子とともに、前記無線端末がＲＲＣコネクティッド状態から特定状態に遷移することを示す第１のＲＲＣ遷移通知を基地局から受信する受信部を備え、
前記特定状態は、前記無線端末用の接続が前記基地局と前記コアネットワークとの間に維持されつつ、前記ＲＲＣコネクティッド状態に比べて前記無線端末用のシグナリングが抑制される状態であり、
前記受信部は、前記無線端末が前記特定状態から既に離れており、かつ前記ＲＲＣコネクティッド状態に既に入っていることを示す第２の遷移通知を前記基地局から受信する
モビリティ管理エンティティ。
【請求項５】
方法であって、
基地局が、無線端末を特定状態に遷移させるステップであって、前記特定状態は、前記無線端末用の接続が前記基地局とコアネットワークとの間に維持されつつ、ＲＲＣコネクティッド状態に比べて前記無線端末用のシグナリングが抑制される状態である、ステップと、
前記基地局が、前記特定状態に遷移させる前記無線端末を識別する識別子と共に、前記ＲＲＣコネクティッド状態から前記特定状態への遷移を示す第１のＲＲＣ遷移通知を前記コアネットワークのエンティティに送信するステップと
前記基地局が、前記無線端末を前記特定状態から前記ＲＲＣコネクティッド状態に遷移させるステップと、
前記基地局が、前記無線端末が前記特定状態から既に離れており、かつ前記ＲＲＣコネクティッド状態に既に入っていることを示す第２の遷移通知を前記エンティティに送信するステップと、を備える
方法。
【発明の詳細な説明】
【技術分野】
【０００１】
本発明は、移動通信システムにおいて用いられる基地局及びモビリティ管理エンティティに関する。
【背景技術】
【０００２】
近年、多数のアプリケーションを実行可能なスマートフォン等の無線端末の普及により、無線端末がネットワークに接続する頻度及びネットワークが無線端末のページングを行う頻度が増加している。【０００３】
このため、移動通信システムにおいて、シグナリングに伴うネットワークの負荷が高まっている。このような状況に鑑み、移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、シグナリングを削減するための技術の検討が進められている。
【発明の概要】
【０００４】
第１の特徴に係る基地局は、制御部を備える。前記制御部は、特定の無線端末に対するページングを実施するよう要求するページング要求をモビリティ管理エンティティに送信する。前記特定の無線端末は、特定状態にある無線端末である。前記特定状態は、前記無線端末用のＳ１接続が維持されつつ前記無線端末用のシグナリングが抑制される状態である。
【０００５】
第２の特徴に係るモビリティ管理エンティティは、制御部を備える。前記制御部は、特定の無線端末に対するページングを実施するよう要求するページング要求を基地局から受信する。前記制御部は、前記ページング要求の受信に応じて、前記無線端末宛てのページングメッセージを前記基地局に送信する。前記特定の無線端末は、特定状態にある無線端末である。前記特定状態は、前記無線端末用のＳ１接続が維持されつつ前記無線端末用のシグナリングが抑制される状態である。
【０００６】
第３の特徴に係る基地局は、制御部を備える。前記制御部は、無線端末を特定状態に遷移させる。前記特定状態は、前記無線端末用のＳ１接続が維持されつつ前記無線端末用のシグナリングが抑制される状態である。前記制御部は、前記特定状態に遷移させる前記無線端末に関する遷移通知をモビリティ管理エンティティに送信する。
【０００７】
第４の特徴に係るモビリティ管理エンティティは、制御部を備える。前記制御部は、特定状態に遷移させる無線端末に関する遷移通知を基地局又は前記無線端末から受信する。前記特定状態は、前記無線端末用のＳ１接続が維持されつつ前記無線端末用のシグナリングが抑制される状態である。前記制御部は、前記遷移通知の受信後、前記無線端末宛ての下りリンクデータ又はＮＡＳシグナリングを送信する必要が生じたことに応じて、前記無線端末宛てのページングメッセージを前記基地局に送信する。
【図面の簡単な説明】
【０００８】
【図１】実施形態に係るＬＴＥシステムの構成を示す図である。
【図２】実施形態に係るＵＥ（無線端末）の構成を示す図である。
【図３】実施形態に係るｅＮＢ（基地局）の構成を示す図である。
【図４】実施形態に係るＭＭＥ（モビリティ管理エンティティ）の構成を示す図である。
【図５】実施形態に係る無線インターフェイスのプロトコルスタックの構成を示す図である。
【図６】実施形態に係るＬｉｇｈｔ  Ｃｏｎｎｅｃｔｅｄ状態（特定状態）への遷移に係る動作を示す図である。
【図７】第１実施形態に係るｅＮＢの動作を示す図である。
【図８】第１実施形態に係るＭＭＥの動作を示す図である。
【図９】第１実施形態に係るＬＴＥシステムの全体動作例を示す図である。
【図１０】第２実施形態に係るｅＮＢの動作を示す図である。
【図１１】第２実施形態に係るＭＭＥの動作を示す図である。
【図１２】第２実施形態に係るＬＴＥシステムの全体動作例を示す図である。
【図１３】付記に係るRAN制御のDL送信オプションの動作を示す図である。
【図１４】付記に係るMME開始のページングのシグナリングオプションを示す図である。
【図１５】付記に係るページングエリア及び推奨セルを示す図である。
【発明を実施するための形態】
【０００９】
（移動通信システムの構成）
以下において、実施形態に係る移動通信システムの構成について説明する。図１は、実施形態に係る移動通信システムであるＬＴＥ（Ｌｏｎｇ  Ｔｅｒｍ  Ｅｖｏｌｕｔｉｏｎ）システムの構成を示す図である。ＬＴＥシステムは、３ＧＰＰ規格に基づく移動通信システムである。
【００１０】
図１に示すように、ＬＴＥシステムは、無線端末（ＵＥ：Ｕｓｅｒ  Ｅｑｕｉｐｍｅｎｔ）１００、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びコアネットワーク（ＥＰＣ：Ｅｖｏｌｖｅｄ  Ｐａｃｋｅｔ  Ｃｏｒｅ）２０を備える。
【００１１】
ＵＥ１００は、移動型の通信装置である。ＵＥ１００は、自身が在圏するセル（サービングセル）を管理するｅＮＢ２００との無線通信を行う。
【００１２】
Ｅ−ＵＴＲＡＮ１０は、基地局（ｅＮＢ：ｅｖｏｌｖｅｄ  Ｎｏｄｅ−Ｂ）２００を含む。ｅＮＢ２００は、Ｘ２インターフェイスを介して相互に接続される。ｅＮＢ２００は、１又は複数のセルを管理している。ｅＮＢ２００は、ｅＮＢ２００が管理するセルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能又はリソースを示す用語としても用いられる。また、「セル」はある一つの周波数に属していてもよい。
【００１３】
ＥＰＣ２０は、モビリティ管理エンティティ（ＭＭＥ）３００Ｃ及びサービングゲートウェイ（Ｓ−ＧＷ）３００Ｕを含む（図６等参照）。ＭＭＥ３００Ｃは、ＵＥ１００に対する各種モビリティ制御等を行う。ＭＭＥ３００Ｃは、ＵＥ１００と通信することにより、ＵＥ１００が在圏するエリアの情報を管理する。「エリア」とは、複数のセルからなるトラッキングエリアである。ＭＭＥ３００Ｃは、トラッキングエリアよりも狭いエリア単位で、ＵＥ１００が在圏するエリアの情報を管理してもよい。Ｓ−ＧＷ３００Ｕは、データの転送制御を行う。ＭＭＥ３００Ｃ及びＳ−ＧＷ３００Ｕは、Ｓ１インターフェイスを介してｅＮＢ２００と接続される。
【００１４】
図２は、ＵＥ１００（無線端末）の構成を示す図である。図２に示すように、ＵＥ１００は、受信部１１０、送信部１２０、及び制御部１３０を備える。
【００１５】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００１６】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００１７】
制御部１３０は、ＵＥ１００における各種の制御を行う。制御部１３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含む。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００１８】
図３は、ｅＮＢ２００（基地局）の構成を示す図である。図３に示すように、ｅＮＢ２００は、送信部２１０、受信部２２０、制御部２３０、及びバックホール通信部２４０を備える。
【００１９】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００２０】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００２１】
制御部２３０は、ｅＮＢ２００における各種の制御を行う。制御部２３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵと、を含む。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２２】
バックホール通信部２４０は、Ｘ２インターフェイスを介して隣接ｅＮＢ２００と接続される。バックホール通信部２４０は、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００２３】
図４は、ＭＭＥ３００Ｃの構成を示す図である。図４に示すように、ＭＭＥ３００Ｃは、通信部３１０及び制御部３２０を備える。
【００２４】
通信部３１０は、Ｓ１インターフェイスを介してｅＮＢ２００と接続される。通信部３１０は、Ｓ１１インターフェイスを介してＳ−ＧＷ３００Ｕと接続される。Ｓ−ＧＷ３００Ｕは、Ｓ５インターフェイスを介してＰＤＮゲートウェイ（Ｐ−ＧＷ）と接続される。通信部３１０は、Ｓ１インターフェイス上で行う通信及びＳ１１インターフェイス上で行う通信等に用いられる。
【００２５】
制御部３２０は、ＭＭＥ３００Ｃにおける各種の制御を行う。制御部３２０は、少なくとも１つのプロセッサ及びメモリを含む。メモリは、プロセッサにより実行されるプログラム、及びプロセッサによる処理に用いられる情報を記憶する。プロセッサは、メモリに記憶されるプログラムを実行して各種の処理を行うＣＰＵを含んでもよい。プロセッサは、後述する処理を実行する。
【００２６】
図５は、ＬＴＥシステムにおける無線インターフェイスのプロトコルスタックの構成を示す図である。図５に示すように、無線インターフェイスプロトコルは、ＯＳＩ参照モデルの第１層乃至第３層に区分されている。第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００２７】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御情報が伝送される。
【００２８】
ＭＡＣ層は、データの優先制御、ハイブリッドＡＲＱ（ＨＡＲＱ）による再送処理、及びランダムアクセスプロシージャ等を行う。ＵＥ１００のＭＡＣ層とｅＮＢ２００のＭＡＣ層との間では、トランスポートチャネルを介してデータ及び制御情報が伝送される。ｅＮＢ２００のＭＡＣ層は、スケジューラを含む。スケジューラは、上下リンクのトランスポートフォーマット（トランスポートブロックサイズ、変調・符号化方式（ＭＣＳ））及びＵＥ１００への割当リソースブロックを決定する。
【００２９】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御情報が伝送される。
【００３０】
ＰＤＣＰ層は、ヘッダ圧縮・伸張、及び暗号化・復号化を行う。
【００３１】
ＲＲＣ層は、制御情報を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードである。そうでない場合、ＵＥ１００はＲＲＣアイドルモードである。
【００３２】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００３３】
（特定状態）
実施形態に係る特定状態について説明する。特定状態は、ＵＥ１００用のＳ１接続が維持されつつＵＥ１００用のシグナリングが抑制される状態である。特定状態は、ＲＲＣアイドルモードの一状態又はＲＲＣコネクティッドモードの一状態であってもよい。或いは、特定状態は、ＲＲＣアイドルモード及びＲＲＣアイドルモードとは異なるＲＲＣ状態であってもよい。以下において、特定状態がＲＲＣアイドルモードの一状態又はＲＲＣアイドルモードに類似する状態であるケースを主として想定する。特定状態にあるＵＥ１００は、特定のシグナリングをネットワークと送受信することが免除される。特定状態にあるＵＥ１００は、特定のシグナリングをネットワークと送受信する頻度が低減されてもよい。
【００３４】
Ｓ１接続は、Ｓ１インターフェイス上でｅＮＢ２００とＥＰＣ２０との間に確立される接続である。Ｓ１インターフェイスは、ユーザプレーン用のＳ１−Ｕインターフェイスと制御プレーン用のＳ１−ＭＭＥインターフェイスとを含む。Ｓ１接続は、Ｓ１−Ｕインターフェイス上でｅＮＢ２００とＳ−ＧＷ３００Ｕとの間に確立されるＳ１−Ｕ接続と、Ｓ１−Ｃインターフェイス上でｅＮＢ２００とＭＭＥ３００Ｃとの間に確立されるＳ１−ＭＭＥ接続と、を含んでもよい。
【００３５】
「ＵＥ１００用のシグナリングが抑制される状態」は、ＵＥ１００の複数の機能のうち少なくとも一部が不活性化された状態と読み替えてもよい。ここで、複数の機能は、データ（ユーザデータ）の送受信機能、スケジューリング要求（ＳＲ）の送信機能、チャネル状態情報（ＣＳＩ）の送信（すなわち、ＣＳＩフィードバック）機能、サウンディング参照信号（ＳＲＳ）の送信機能、キャリアアグリゲーション機能、デュアルコネクティビティ機能、セミパーシステントスケジューリング（ＳＰＳ）機能、ＷＬＡＮアグリゲーション機能、無線リンク監視（ＲＬＭ）機能、通知（Ｉｎ−ｄｅｖｉｃｅ  Ｃｏｅｘｉｓｔｅｎｃｅ  Ｉｎｄｉｃａｔｉｏｎ  ＵＥ  Ａｓｓｉｓｔａｎｃｅ  ｉｎｆｏｒｍａｔｉｏｎ、ＭＢＭＳ  Ｉｎｔｅｒｅｓｔ  Ｉｎｄｉｃａｉｔｏｎ、Ｓｉｄｅｌｉｎｋ  ＵＥ  Ｉｎｆｏｒｍａｉｔｏｎ等）機能、アイドルモード間欠受信（ＤＲＸ）機能、ブロードキャストシグナリングを用いるＷＬＡＮインターワーキング機能を含んでもよい。但し、特定状態において、セル再選択機能、コネクティッドモードＤＲＸ機能、専用シグナリングを用いるＷＬＡＮインターワーキング機能のうち少なくとも１つは、不活性化されずに活性化状態を維持してもよい。
【００３６】
以下において、このような特定状態を「Ｌｉｇｈｔ  Ｃｏｎｎｅｃｔｅｄ状態」と称する。Ｌｉｇｈｔ  Ｃｏｎｎｅｃｔｅｄ状態は、Ｌｉｇｈｔ  Ｃｏｎｎｅｃｔｅｄモードと称されてもよい。なお、Ｌｉｇｈｔ  Ｃｏｎｎｅｃｔｅｄ状態は、ＵＥ１００のコンテキスト情報（ＵＥコンテキスト）がネットワークに維持されつつ、ＲＲＣコネクティッドモードに比べてシグナリングが削減される状態であってもよい。ＵＥコンテキストは、ＵＥ１００に対する各種の設定及び能力等に関する情報を含む。各種の設定は、ＡＳ（Ａｃｃｅｓｓ  Ｓｔｒａｔｕｍ）の設定を含む。ＡＳは、ＰＨＹ、ＭＡＣ、ＲＬＣ、ＰＤＣＰ、及びＲＲＣの各層を含む。ＵＥ１００は、維持されているＳ１接続及びＵＥコンテキストを活用して、少ないシグナリングでＬｉｇｈｔ  Ｃｏｎｎｅｃｔｅｄ状態からＲＲＣコネクティッドモードに遷移（すなわち、ＲＲＣ  ｃｏｎｎｅｃｔｉｏｎ  ｓｅｔｕｐ）することができる。
【００３７】
図６は、Ｌｉｇｈｔ  Ｃｏｎｎｅｃｔｅｄ状態（特定状態）への遷移に係る動作を示す図である。図６の初期状態において、ＵＥ１００はＲＲＣコネクティッドモードであり、ＵＥ１００とｅＮＢ２００との間にＲＲＣ接続（ＲＲＣ  Ｃｏｎｎｅｃｔｉｏｎ）が確立されている。また、ｅＮＢ２００とＭＭＥ３００Ｃとの間にＳ１−ＭＭＥ接続（Ｓ１−ＭＭＥ  Ｃｏｎｎｅｃｔｉｏｎ）が確立されている。ｅＮＢ２００とＳ−ＧＷ３００Ｕとの間にＳ１−Ｕ接続（Ｓ１−Ｕ  Ｃｏｎｎｅｃｔｉｏｎ）が確立されている。
【００３８】
図６に示すように、ステップＳ１において、ｅＮＢ２００は、Ｌｉｇｈｔ  Ｃｏｎｎｅｃｔｅｄ状態への遷移を指示する遷移指示（Ｒｅｑｕｅｓｔ  ｔｏ  Ｌｉｇｈｔ  Ｃｏｎｎ．）をＵＥ１００に送信する。
【００３９】
ｅＮＢ２００は、ＲＲＣ接続解放（ＲＲＣ  Ｃｏｎｎｅｃｔｉｏｎ  Ｒｅｌｅａｓｅ）メッセージにより遷移指示をＵＥ１００に送信してもよい。ＲＲＣ接続解放メッセージは、復旧用識別子（Ｒｅｓｕｍｅ  ＩＤ）を含んでもよい。この場合、ＵＥ１００は、Ｌｉｇｈｔ  Ｃｏｎｎｅｃｔｅｄ状態からＲＲＣコネクティッドモードに遷移する際に復旧用識別子をｅＮＢ２００に通知する。ｅＮＢ２００は、復旧用識別子に基づいてＵＥコンテキストの使用を再開する。Ｌｉｇｈｔ  Ｃｏｎｎｅｃｔｅｄ状態において一のｅＮＢのエリアから他のｅＮＢのエリアへＵＥ１００が移動した場合、当該他のｅＮＢは、復旧用識別子に基づいて、当該一のｅＮＢからＵＥコンテキストを取得してもよい。
【００４０】
或いは、ｅＮＢ２００は、ＲＲＣ接続再設定（ＲＲＣ  Ｃｏｎｎｅｃｔｉｏｎ  Ｒｅｃｏｎｆｉｇｕｒａｔｉｏｎ）メッセージにより遷移指示をＵＥ１００に送信してもよい。ＲＲＣ接続再設定メッセージは、不活性化する機能を指定する情報を含んでもよい。
【００４１】
ステップＳ２において、ＵＥ１００は、遷移指示の受信に応じて、肯定応答（Ａｃｋ）メッセージをｅＮＢ２００に送信する。ステップＳ３において、ＵＥ１００は、ＲＲＣ接続を解放する。但し、ステップＳ２及びＳ３は必須ではなく、ステップＳ２及びＳ３を省略してもよい。
【００４２】
ステップＳ４において、ｅＮＢ２００及びＭＭＥ３００Ｃは、Ｓ１−ＭＭＥ接続を維持する。ステップＳ５において、ｅＮＢ２００及びＳ−ＧＷ３００Ｕは、Ｓ１−Ｕ接続を維持する。また、ｅＮＢ２００は、ＵＥ１００のＵＥコンテキストを破棄せずに維持する。
【００４３】
ステップＳ６において、ＵＥ１００は、Ｌｉｇｈｔ  Ｃｏｎｎｅｃｔｅｄ状態に遷移する。
【００４４】
Ｌｉｇｈｔ  Ｃｏｎｎｅｃｔｅｄ状態は、ＵＥ１００に設定されたタイマが動作中である期間にのみ有効であってもよい。この場合、ＵＥ１００は、タイマの満了に応じてＬｉｇｈｔ  Ｃｏｎｎｅｃｔｅｄ状態を中止する。或いは、Ｌｉｇｈｔ  Ｃｏｎｎｅｃｔｅｄ状態は、ＵＥ１００が所定周波数内に存在する期間にのみ有効であってもよい。例えば、あるセルにおいてＬｉｇｈｔ  Ｃｏｎｎｅｃｔｅｄ状態の指示を受けたＵＥ１００は、当該セルが属する周波数とは異なる周波数のセルに移動したことに応じてＬｉｇｈｔ  Ｃｏｎｎｅｃｔｅｄ状態を終了する。
【００４５】
或いは、ＵＥ１００は、ｅＮＢ２００のセルを含む所定エリアの外に移動したことに応じてＬｉｇｈｔ  Ｃｏｎｎｅｃｔｅｄ状態を中止してもよい。所定エリアは、ページングのエリア単位であってもよい。所定エリアは、１つのＵＥ１００に対してページング一斉送信を行う複数のセルからなる。所定エリアは、トラッキングエリアよりも狭いエリア単位であってもよい。
【００４６】
（第１実施形態）
第１実施形態について説明する。
【００４７】
（１）第１実施形態に係るｅＮＢ２００の動作
第１実施形態に係るｅＮＢ２００の動作について説明する。図７は、第１実施形態に係るｅＮＢ２００の動作を示す図である。なお、ｅＮＢ２００とＭＭＥ３００Ｃとの間のシグナリングは、Ｓ１−ＭＭＥインターフェイス上でやり取りされる。
【００４８】
図７に示すように、ステップＳ１１において、ｅＮＢ２００は、ＵＥ１００をＬｉｇｈｔ  Ｃｏｎｎｅｃｔｅｄ状態に遷移させる。ＵＥ１００は、Ｌｉｇｈｔ  Ｃｏｎｎｅｃｔｅｄ状態に遷移する。ここでは、Ｌｉｇｈｔ  Ｃｏｎｎｅｃｔｅｄ状態に遷移したＵＥ１００を「特定のＵＥ１００」と称する。ＵＥ１００がＬｉｇｈｔ  Ｃｏｎｎｅｃｔｅｄ状態である場合、ＵＥ１００用のＳ１接続が維持されるものの、ＵＥ１００用のシグナリングが削減される。なお、ＲＲＣアイドルモードの場合、Ｓ１接続は維持されないことに留意すべきである。また、ＲＲＣコネクティッドモードの場合、Ｓ１接続が維持され、ＵＥ１００が在圏するエリアをセル単位でＭＭＥ３００Ｃが把握可能である。これに対し、Ｌｉｇｈｔ  Ｃｏｎｎｅｃｔｅｄ状態の場合、Ｓ１接続が維持されるものの、ＭＭＥ３００Ｃは、ＵＥ１００が在圏するエリアをセル単位ではなくトラッキングエリア単位（又は所定エリア単位）で把握する。
【００４９】
以下において、ＵＥ１００が在圏するエリアをＭＭＥ３００Ｃがトラッキングエリア単位で把握するケースを主として想定する。但し、ＭＭＥ３００Ｃは、ＵＥ１００が在圏するエリアを所定エリア単位で把握してもよい。
【００５０】
ステップＳ１２において、ｅＮＢ２００は、Ｓ１−Ｕ接続を介して特定のＵＥ１００宛ての下りリンクデータ（ＤＬデータ）をＳ−ＧＷ３００Ｕから受信したか否かを判定する。又は、ｅＮＢ２００は、Ｓ１−ＭＭＥ接続を介して特定のＵＥ１００宛てのＮＡＳシグナリングをＭＭＥ３００Ｃから受信したか否かを判定する。ここで、ＮＡＳシグナリングは、例えば、Ｄｅｔａｃｈ  ｒｅｑｕｅｓｔ、Ｉｄｅｎｔｉｔｙ  ｒｅｑｕｅｓｔ、Ａｃｔｉｖａｔｅ  ｄｅｄｉｃａｔｅｄ  ＥＰＳ  ｂｅａｒｅｒ  ｃｏｎｔｅｘｔ  ｒｅｑｕｅｓｔ、Ｄｅａｃｔｉｖａｔｅ  ＥＰＳ  ｂｅａｒｅｒ  ｃｏｎｔｅｘｔ  ｒｅｑｕｅｓｔ、ＥＳＭ  ｉｎｆｏｒｍａｔｉｏｎ  ｒｅｑｕｅｓｔ、ＥＳＭ  ｓｔａｔｕｓ、Ｍｏｄｉｆｙ  ＥＰＳ  ｂｅａｒｅｒ  ｃｏｎｔｅｘｔ  ｒｅｑｕｅｓｔ等である（３ＧＰＰ技術仕様書「ＴＳ２４．３０１」参照）。
【００５１】
ステップＳ１２において「ＹＥＳ」である場合、ステップＳ１３において、ｅＮＢ２００は、ページング要求をＭＭＥ３００Ｃに送信する。ページング要求は、特定のＵＥ１００に対するページングを実施するよう要求するメッセージである。ｅＮＢ２００は、特定のＵＥ１００を識別するための識別子（ＵＥ識別子）をページング要求に含める。ＵＥ識別子は、ＭＭＥ  ＵＥ  Ｓ１ＡＰ（ａｐｐｌｉｃａｔｉｏｎ）  ＩＤ、ｅＮＢ  ＵＥ  Ｓ１ＡＰ（ａｐｐｌｉｃａｔｉｏｎ）  ＩＤ、ＧＴＰ（ＧＰＲＳ  Ｔｕｎｎｅｌｉｎｇ  Ｐｒｏｔｏｃｏｌ）  ＴＥ（Ｔｕｎｎｅｌ  Ｅｎｄｐｏｉｎｔ）  ＩＤ、Ｒｅｓｕｍｅ  ＩＤ等であってもよい。ＭＭＥ  ＵＥ  Ｓ１ＡＰ  ＩＤは、１つのＵＥ固有のＳ１−ＭＭＥ接続にＭＭＥ３００Ｃが割り当てた（Ｓ１  ＡＰ上の）ＩＤである。ｅＮＢ  ＵＥ  Ｓ１ＡＰ  ＩＤは、１つのＵＥ固有のＳ１−ＭＭＥ接続にｅＮＢ２００が割り当てた（Ｓ１  ＡＰ上の）ＩＤである。なお、ＧＴＰ  ＴＥＩＤは、ＧＴＰプロトコルにおけるトンネル終端ＩＤである。
【００５２】
ステップＳ１４において、ｅＮＢ２００は、特定のＵＥ１００宛てのＳ１ページングメッセージ（第１のページングメッセージ）をＭＭＥ３００Ｃから受信する。「特定のＵＥ１００宛てのページングメッセージ」とは、特定のＵＥ１００の識別子を宛先として含むページングメッセージを意味しており、特定のＵＥ１００以外のＵＥ１００の識別子も宛先としてさらに含んでもよい。
【００５３】
ステップＳ１５において、ｅＮＢ２００は、Ｓ１ページングメッセージの受信に応じて、特定のＵＥ１００宛てのＲＲＣページングメッセージ（第２のページングメッセージ）を送信する。ＲＲＣページングメッセージは、特定のＵＥ１００を識別するための識別子を含む。ｅＮＢ２００は、ページング要求に基づくページングであることを示す情報を第２のページングメッセージに含めてもよい。当該情報は、Ｌｉｇｈｔ  Ｃｏｎｎｅｃｔｅｄ状態にあるＵＥ１００（特定のＵＥ１００）用のページングであることを示す識別子であってもよい。
【００５４】
（２）第１実施形態に係るｅＭＭＥ３００Ｃの動作
第１実施形態に係るＭＭＥ３００Ｃの動作について説明する。図８は、第１実施形態に係るＭＭＥ３００Ｃの動作を示す図である。
【００５５】
図８に示すように、ステップＳ１６において、ＭＭＥ３００Ｃは、ページング要求をｅＮＢ２００から受信する。ＭＭＥ３００Ｃは、ページング要求に含まれるＵＥ識別子に基づいて、特定のＵＥ１００が在圏するトラッキングエリア（すなわち、登録トラッキングエリア）を判定する。
【００５６】
ステップＳ１７において、ＭＭＥ３００Ｃは、登録トラッキングエリアに属するｅＮＢ２００に対して、Ｓ１ページングメッセージを送信する。登録トラッキングエリアに属するｅＮＢ２００は、登録トラッキングエリアに含まれるセルを管理する１又は複数のｅＮＢ２００である。Ｓ１ページングメッセージは、特定のＵＥ１００を識別するための識別子（ＵＥ識別子）を含む。
【００５７】
（３）第１実施形態に係るＬＴＥシステムの全体動作例
第１実施形態に係るＬＴＥシステムの全体動作例について説明する。図９は、第１実施形態に係るＬＴＥシステムの全体動作例を示す図である。図９に示すｅＮＢ２００−１乃至２００−ｎは、同一のトラッキングエリアに属するｅＮＢ２００である。なお、図９では、ＵＥ１００がＬｉｇｈｔ  Ｃｏｎｎｅｃｔｅｄ状態に遷移した後、別のセル（ｄｉｆｆｅｒｅｎｔ  ｃｅｌｌ）に移動するケースを想定する。
【００５８】
図９に示すように、ステップＳ１０１において、ｅＮＢ２００−１は、ＵＥ１００をＬｉｇｈｔ  Ｃｏｎｎｅｃｔｅｄ状態に遷移させる。例えば、ｅＮＢ２００−１は、ＲＲＣ接続解放（ＲＲＣ  Ｃｏｎｎｅｃｔｉｏｎ  Ｒｅｌｅａｓｅ）メッセージをＵＥ１００に送信することにより、ＵＥ１００をＬｉｇｈｔ  Ｃｏｎｎｅｃｔｅｄ状態に遷移させる。ＲＲＣ接続解放メッセージは、ＲＲＣ接続復旧（ＲＲＣ  Ｃｏｎｎｅｃｔｉｏｎ  Ｒｅｓｕｍｅ）に用いる識別子（Ｒｅｓｕｍｅ  ＩＤ）を含んでもよい。
【００５９】
ステップＳ１０２において、ｅＮＢ２００−１は、Ｓ１−Ｕ接続を介して特定のＵＥ１００宛てのＤＬデータをＳ−ＧＷ３００Ｕから受信する。
【００６０】
或いは、ステップＳ１０３において、ｅＮＢ２００−１は、Ｓ１−ＭＭＥ接続を介して特定のＵＥ１００宛てのＮＡＳシグナリングをＭＭＥ３００Ｃから受信する。
【００６１】
ステップＳ１０４において、ｅＮＢ２００−１は、ＤＬデータ及び／又はＮＡＳシグナリングを受信したことに応じて、ＤＬデータの宛先及び／又はＮＡＳシグナリングの宛先のＵＥ１００がＬｉｇｈｔ  Ｃｏｎｎｅｃｔｅｄ状態であるか否かを判定する。このような判定は、例えば、ＤＬデータについては「ＧＴＰ  ＴＥＩＤ」を用いて行われ、ＮＡＳシグナリングについては「ＭＭＥ  ＵＥ  Ｓ１ＡＰ  ＩＤ」を用いて行われる。ここでは、宛先のＵＥ１００がＬｉｇｈｔ  Ｃｏｎｎｅｃｔｅｄ状態であるケースを想定して説明を進める。
【００６２】
ステップＳ１０５において、ｅＮＢ２００−１は、ＭＭＥ３００Ｃに対してページング要求（Ｐａｇｉｎｇ  Ｒｅｑｕｅｓｔ）を送信する。ページング要求は、ＵＥ識別子を含む。ページング要求は、通信の優先度情報、セルＩＤリスト（及びｅＮＢ  ＩＤリスト）、原因（Ｃａｕｓｅ）のうち少なくとも１つを含んでもよい。通信の優先度情報は、ＭＭＥ３００ＣがＳ１ページングメッセージを送信する際に優先度を決定するために用いられる。セルＩＤリスト（及びｅＮＢ  ＩＤリスト）は、ＭＭＥ３００ＣがＳ１ページングメッセージの通知範囲（すなわち、所定エリア）を特定するために用いられる。Ｃａｕｓｅは、ＭＭＥ３００Ｃがページング要求の発生原因を把握するために用いられる。ＭＭＥ３００Ｃは、ページング要求を受信した後、ページング要求に対する応答メッセージをｅＮＢ２００−１に送信してもよい。ＭＭＥ３００Ｃは、ページング要求を受信し、さらにページング応答メッセージ（ＮＡＳシグナリング）をＵＥ１００から受信したことに応じて、応答メッセージをｅＮＢ２００−１に送信してもよい。このような応答メッセージは、ページングの成功を示すメッセージ（Ｐａｇｉｎｇ  Ｃｏｍｐｌｅｔｅｄ）であってもよい。或いは、応答メッセージは、ページングの失敗を示すメッセージ（Ｐａｇｉｎｇ  Ｆａｉｌｕｒｅ）等であってもよい。
【００６３】
ステップＳ１０６、Ｓ１０７、Ｓ１２１、及びＳ１２２は、オプション（Ｏｐｔｉｏｎ  １）の動作である。後述するステップＳ１１３及びＳ１１４（Ｏｐｔｉｏｎ  ２）が行われる場合、Ｏｐｔｉｏｎ  １は省略されてもよい。ステップＳ１０６において、ＭＭＥ３００Ｃは、ページング要求の受信に応じて、Ｓ−ＧＷ３００Ｕに対して、停止要求（ＤＬ  ｔｒａｆｆｉｃ  ｓｕｓｐｅｎｄ  ｒｅｑｕｅｓｔ）を送信する。停止要求は、特定のＵＥ１００へのＤＬデータの転送（具体的には、Ｓ１接続されているｅＮＢ２００−１へのデータ転送）を暫定的に停止することを要求するメッセージである。停止要求は、特定のＵＥ１００を識別するための識別子（例えば、ＧＴＰ  ＴＥＩＤ）を含んでもよい。
【００６４】
ステップＳ１０７において、Ｓ−ＧＷ３００Ｕは、停止要求の受信に応じて、特定のＵＥ１００へのＤＬデータの転送を停止する。具体的には、Ｓ−ＧＷ３００Ｕは、特定のＵＥ１００へのＤＬデータをＰＤＮゲートウェイ（Ｐ−ＧＷ）から受信しても、受信したＤＬデータをｅＮＢ２００−１に転送せずに保持する。
【００６５】
ステップＳ１０８及びＳ１０９は、ページングプロシージャである。ステップＳ１０８において、ＭＭＥ３００Ｃは、ページング要求の受信に応じて、特定のＵＥ１００の登録トラッキングエリアに属するｅＮＢ２００−１乃至２００−ｎに対して、Ｓ１ページング（ＰＡＧＩＮＧ）メッセージを送信する。
【００６６】
ステップＳ１０９において、ｅＮＢ２００−１乃至２００−ｎのそれぞれは、Ｓ１ページングメッセージの受信に応じて、ＲＲＣページング（Ｐａｇｉｎｇ）メッセージを自セル内で送信する。ここでは、特定のＵＥ１００がｅＮＢ２００−１のセルにおいてＬｉｇｈｔ  Ｃｏｎｎｅｃｔｅｄ状態に遷移した後、ｅＮＢ２００−１のセルからｅＮＢ２００−２のセルに移動したケースを想定する。特定のＵＥ１００は、ｅＮＢ２００−２のセルにおいてＲＲＣページングメッセージを受信する。
【００６７】
ステップＳ１１０乃至Ｓ１１６、Ｓ１１９、Ｓ１２０は、ＵＥ１００がＬｉｇｈｔ  Ｃｏｎｎｅｃｔｅｄ状態からＲＲＣコネクティッドモードに遷移するためのＲＲＣ接続復旧（ＲＲＣ  Ｃｏｎｎｅｃｔｉｏｎ  Ｒｅｓｕｍｅ）プロシージャである。ステップＳ１１０において、ＵＥ１００は、ＲＲＣページングメッセージの受信に応じて、ＲＲＣ接続復旧要求（ＲＲＣ  Ｃｏｎｎｅｃｔｉｏｎ  Ｒｅｓｕｍｅ  Ｒｅｑｕｅｓｔ）メッセージをｅＮＢ２００−２に送信する。ＲＲＣ接続復旧要求メッセージは、Ｒｅｓｕｍｅ  ＩＤを含んでもよい。
【００６８】
ステップＳ１１１において、ｅＮＢ２００−２は、ＲＲＣ接続復旧要求メッセージの受信に応じて、ＵＥコンテキスト要求（ＲＥＴＲＩＥＶＥ  ＵＥ  ＣＯＮＴＥＸＴ  ＲＥＱＵＥＳＴ）メッセージをｅＮＢ２００−１に送信する。
【００６９】
ステップＳ１１２において、ｅＮＢ２００−１は、ＵＥコンテキスト要求メッセージの受信に応じて、ＵＥコンテキスト応答（ＲＥＴＲＩＥＶＥ  ＵＥ  ＣＯＮＴＥＸＴ  ＲＥＳＰＯＮＳＥ）メッセージをｅＮＢ２００−１に送信する。ＵＥコンテキスト応答は、特定のＵＥ１００のコンテキスト情報（ＵＥコンテキスト）を含む。
【００７０】
ステップＳ１１３及びＳ１１４は、オプション（Ｏｐｔｉｏｎ  ２）の動作である。上述したＯｐｔｉｏｎ  １が行われる場合、Ｏｐｔｉｏｎ  ２は省略されてもよい。但し、ステップＳ１０２が行われた場合には、Ｏｐｔｉｏｎ  ２の動作が行われる。上述したＯｐｔｉｏｎ  １が行われない場合、Ｓ−ＧＷ３００Ｕは、特定のＵＥ１００宛てのＤＬデータをｅＮＢ２００−１に転送し続ける。ｅＮＢ２００−１は、特定のＵＥ１００宛てのＤＬデータを保持する。ステップＳ１１３において、ｅＮＢ２００−１は、シーケンス番号状態転送（ＳＮ  Ｓｔａｔｕｓ  Ｔｒａｎｓｆｅｒ）メッセージをｅＮＢ２００−２に送信する。ステップＳ１１４において、ｅＮＢ２００−１は、特定のＵＥ１００宛てのＤＬデータをｅＮＢ２００−２に転送する（Ｄａｔａ  Ｆｏｒｗａｒｄｉｎｇ）。
【００７１】
ステップＳ１１５において、ｅＮＢ２００−２は、ＲＲＣ接続復旧（ＲＲＣ  Ｃｏｎｎｅｃｔｉｏｎ  Ｒｅｓｕｍｅ）メッセージを特定のＵＥ１００に送信する。その後、ＵＥ１００は、Ｌｉｇｈｔ  Ｃｏｎｎｅｃｔｅｄ状態からＲＲＣコネクティッドモードに遷移する。ＲＲＣコネクティッドモードに遷移したＵＥ１００は、ページング応答をＮＡＳシグナリングによりＭＭＥ３００Ｃに送信してもよい。ＭＭＥ３００Ｃは、ページング応答を受信した際に、新たなＵＥコンテキストを生成しないことが好ましい。具体的には、ＭＭＥ３００Ｃは、既に保有している当該ＵＥ１００のＵＥコンテキストの有無を確認する。ＭＭＥ３００Ｃは、当該ＵＥコンテキストを保有していた場合は、当該ページング応答を無視する、又は必要に応じてＵＥコンテキストへの紐付け処理を行う。
【００７２】
ステップＳ１１６において、ｅＮＢ２００−２は、ｅＮＢ２００−１からｅＮＢ２００−２にデータパス（すなわち、Ｓ１−Ｕ接続）を切り替えるためのパス切り替え要求（ＰＡＴＨ  ＳＷＩＴＣＨ  ＲＥＱＵＥＳＴ）メッセージをＭＭＥ３００Ｃに送信する。
【００７３】
ステップＳ１１７において、ＭＭＥ３００Ｃは、パス切り替え要求メッセージの受信に応じて、ベアラの修正を要求するためのベアラ修正要求（Ｍｏｄｉｆｙ  Ｂｅａｒｅｒ  Ｒｅｑｕｅｓｔ）メッセージをＳ−ＧＷ３００Ｕに送信する。
【００７４】
ステップＳ１１８において、ＭＭＥ３００Ｃは、ベアラ修正要求メッセージの受信に応じて、ベアラ修正応答（Ｍｏｄｉｆｙ  Ｂｅａｒｅｒ  Ｒｅｓｐｏｎｓｅ）メッセージをＭＭＥ３００Ｃに送信する。
【００７５】
ステップＳ１１９において、ＭＭＥ３００Ｃは、ベアラ修正応答メッセージの受信に応じて、パス切り替え応答（ＰＡＴＨ  ＳＷＩＴＣＨ  ＲＥＳＰＯＮＳＥ）メッセージをｅＮＢ２００−２に送信する。
【００７６】
ステップＳ１２０において、ｅＮＢ２００−２は、パス切り替え応答メッセージの受信に応じて、ＵＥコンテキストの解放を要求するＵＥコンテキスト解放（ＵＥ  ＣＯＮＴＥＸＴ  ＲＥＬＥＡＳＥ）メッセージをｅＮＢ２００−１に送信する。
【００７７】
Ｏｐｔｉｏｎ  １の場合、ステップＳ１２１において、ＭＭＥ３００Ｃは、ＤＬデータ転送の再開要求（ＤＬ  ｔｒａｆｆｉｃ  ｒｅｓｕｍｅ  ｒｅｑｕｅｓｔ）をＳ−ＧＷ３００Ｕに送信してもよい。再開要求は、特定のＵＥ１００を識別するための識別子（例えば、ＧＴＰ  ＴＥＩＤ）を含んでもよい。ステップＳ１２２において、Ｓ−ＧＷ３００Ｕは、ＭＭＥ３００Ｃからの要求の受信に応じて、ＤＬデータ転送を再開する。このような要求は、ステップＳ１１７に示すＭｏｄｉｆｙ  Ｂｅａｒｅｒ  Ｒｅｑｕｅｓｔメッセージにより暗示的に行われてもよい。
【００７８】
（４）ページングプロシージャの変更例
図９に示す動作において、ＭＭＥ３００Ｃがトラッキングエリア単位でページングを行うケースを主として想定していた。しかしながら、ＭＭＥ３００Ｃは、所定エリア単位でページング（特殊なページング）を行ってもよい。この場合、ＭＭＥ３００Ｃは、ステップＳ１０８において、特殊なＳ１ページングメッセージを送信する。ＭＭＥ３００Ｃは、ＭＭＥ  ＵＥ  Ｓ１ＡＰ  ＩＤを特殊なＳ１ページングメッセージに含めてもよい。具体的には、特殊なページングとは、ＲＡＮ（ｅＮＢ）が決定した所定エリアに存在するＵＥ１００に対して、ＲＡＮ（ｅＮＢ）が開始するページングを意味する。このような所定エリアは、ＲＡＮページングエリアと称されてもよい。よって、特殊なＳ１ページングメッセージは、この特殊なページングを行う（もしくは行って良い）ことをＲＡＮに通知する機能を果たす。
【００７９】
特殊なＳ１ページングメッセージを受信したｅＮＢ２００は、このＩＤを用いて特定のＵＥ１００を一意に特定できる。ｅＮＢ２００は、当該特殊なＳ１ページングメッセージの受信に応じて、特殊なＲＲＣページングメッセージを特定のＵＥ１００に送信する。特殊なＲＲＣページングメッセージは、一般的なＲＲＣページングメッセージとは異なるページングであることを示す識別子を含んでもよい。当該識別子は、特殊なページングであることを示すフラグであってもよいし、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）又はＲｅｓｕｍｅ  ＩＤ等であってもよい。
【００８０】
特殊なＲＲＣページングメッセージを受信したＵＥ１００は、ＲＲＣ接続確立要求（ＲＲＣ  Ｃｏｎｎｅｃｔｉｏｎ  Ｒｅｑｕｅｓｔ）メッセージ又はＲＲＣ接続再確立要求（Ｒｅｅｓｔａｂｌｉｓｈｍｅｎｔ）メッセージ等をｅＮＢ２００に送信する。当該メッセージは、特殊なページングに対する応答であることを示す識別子を含んでもよい。当該識別子は、特殊なページングであることを示すフラグであってもよいし、Ｃ−ＲＮＴＩ又はＲｅｓｕｍｅ  ＩＤ等であってもよい。当該メッセージを受信したｅＮＢ２００は、ＵＥ１００をＲＲＣコネクティッドモードに遷移させる。
【００８１】
（第１実施形態の変更例）
第１実施形態の変更例について説明する。第１実施形態の変更例は、ページング要求（ページング要求）をＭＭＥ３００Ｃに送信した後のｅＮＢ２００の動作に関する。
【００８２】
第１実施形態の変更例において、ｅＮＢ２００は、ページング要求の送信に応じてタイマを開始させる。タイマの設定値は、ＭＭＥ３００Ｃから指定されてもよく、ＯＡＭから設定されてもよい。ｅＮＢ２００は、ページング要求に対する肯定応答メッセージをＭＭＥ３００Ｃから受信したことに応じてタイマを開始させてもよい。
【００８３】
タイマは、ＭＭＥ３００Ｃ又は特定のＵＥ１００からの所定の応答の待ち時間を規定する。ｅＮＢ２００は、所定の応答の受信に応じてタイマを停止させる。ＭＭＥ３００Ｃからの所定の応答は、例えばページングの成功を示すメッセージ（Ｐａｇｉｎｇ  Ｃｏｍｐｌｅｔｅｄ）である。特定のＵＥ１００からの所定の応答は、ＲＲＣ接続復旧メッセージ、ＲＲＣ接続確立要求メッセージ、又はＲＲＣ接続再確立要求メッセージである。或いは、これらの既存のメッセージとは異なるメッセージ（例えばＲＡＮ  Ｐａｇｉｎｇ  Ｒｅｓｐｏｎｓｅ、又はＡｃｔｉｖａｔｉｏｎ  Ｒｅｑｕｅｓｔ等）であってもよい。当該メッセージは、原因（ｃａｕｓｅ）として、ＭＴ  Ｄａｔａを示す情報を含んでもよい。ＭＴ  Ｄａｔａとは、Ｍｏｂｉｌｅ  Ｔｅｒｍｉｎａｔｅｄ  Ｄａｔａの略であり、着信データがあった（すなわち、ページングを受信した）ことを意味する。
【００８４】
ｅＮＢ２００は、所定の応答を受信することなくタイマが満了したことに応じて、ＭＭＥ３００Ｃに対するページング要求の再送又はコンテキスト解放要求の送信を行う。ＭＭＥ３００Ｃは、当該ページング要求の受信に応じて、特定のＵＥ１００宛てのＳ１ページングメッセージを再送する。ＭＭＥ３００Ｃは、当該コンテキスト解放要求の受信に応じて、特定のＵＥ１００のＵＥコンテキストを解放する。
【００８５】
再送されるページング要求は、原因（ｃａｕｓｅ）として、ページング応答がない旨（Ｐａｇｉｎｇ  ｎｏｔ  ｒｅｓｐｏｎｄｅｄ）を示す情報を含んでもよい。再送されるページング要求は、セルＩＤリスト（及びｅＮＢ  ＩＤリスト）を含んでもよい。当該セルＩＤリスト（及びｅＮＢ  ＩＤリスト）は、初送のページング要求に含まれるセルＩＤリスト（及びｅＮＢ  ＩＤリスト）よりも範囲が拡大されたものであってもよい。或いは、再送されるページング要求は、セルＩＤリスト（及びｅＮＢ  ＩＤリスト）を含まなくてもよい。この場合、ＭＭＥ３００Ｃは、所定エリア単位ではなくトラッキングエリア単位でページングを行う。
【００８６】
（第２実施形態）
第２実施形態について説明する。但し、第１実施形態との相違点を主として説明し、重複する説明を省略する。
【００８７】
（１）第２実施形態に係るｅＮＢ２００の動作
第２実施形態に係るｅＮＢ２００の動作について説明する。図１０は、第２実施形態に係るｅＮＢ２００の動作を示す図である。
【００８８】
図１０に示すように、ステップＳ２１において、ｅＮＢ２００は、ＵＥ１００をＬｉｇｈｔ  Ｃｏｎｎｅｃｔｅｄ状態に遷移させる。ＵＥ１００は、Ｌｉｇｈｔ  Ｃｏｎｎｅｃｔｅｄ状態に遷移する。
【００８９】
ステップＳ２２において、ｅＮＢ２００は、Ｌｉｇｈｔ  Ｃｏｎｎｅｃｔｅｄ状態に遷移させるＵＥ１００に関する遷移通知をＭＭＥ３００Ｃに送信する。ｅＮＢ２００は、ＵＥ１００をＬｉｇｈｔ  Ｃｏｎｎｅｃｔｅｄ状態に遷移させる前に遷移通知をＭＭＥ３００Ｃに送信してもよい。遷移通知は、Ｌｉｇｈｔ  Ｃｏｎｎｅｃｔｅｄ状態に遷移させるＵＥ１００を識別するための識別子を含む。なお、ｅＮＢ２００は、遷移通知を送信した後、ＵＥ１００をＬｉｇｈｔ  Ｃｏｎｎｅｃｔｅｄ状態とは異なる状態（例えば、ＲＲＣコネクティッドモード、ＲＲＣアイドルモード、又はサスペンド状態）に遷移させる場合、Ｌｉｇｈｔ  Ｃｏｎｎｅｃｔｅｄ状態からの遷移を示す通知をＭＭＥ３００Ｃに送信してもよい。当該通知は、ＵＥ１００がもはやＬｉｇｈｔ  Ｃｏｎｎｅｃｔｅｄ状態ではないことを示す通知であってもよいし、遷移先の状態／モードを示す情報であってもよい。
【００９０】
ステップＳ２３において、ｅＮＢ２００は、特定のＵＥ１００宛てのＳ１ページングメッセージ（第１のページングメッセージ）をＭＭＥ３００Ｃから受信する。
【００９１】
ステップＳ２４において、ｅＮＢ２００は、Ｓ１ページングメッセージの受信に応じて、特定のＵＥ１００宛てのＲＲＣページングメッセージ（第２のページングメッセージ）を送信する。
【００９２】
（２）第２実施形態に係るｅＭＭＥ３００Ｃの動作
第２実施形態に係るＭＭＥ３００Ｃの動作について説明する。図１１は、第２実施形態に係るＭＭＥ３００Ｃの動作を示す図である。
【００９３】
図１１に示すように、ステップＳ２５において、ＭＭＥ３００Ｃは、Ｌｉｇｈｔ  Ｃｏｎｎｅｃｔｅｄ状態に遷移させるＵＥ１００に関する遷移通知をｅＮＢ２００から受信する。ＭＭＥ３００Ｃは、当該通知（Ｌｉｇｈｔ  Ｃｏｎｎｅｃｔｉｏｎ遷移）の許可権限を有していてもよい。この場合、ＭＭＥ３００Ｃは、Ｌｉｇｈｔ  Ｃｏｎｎｅｃｔｅｄ状態を許可するか否かを示すメッセージをｅＮＢ２００に送信してもよい。或いは、ＭＭＥ３００Ｃは、ＲＲＣコネクティッドモード、ＲＲＣアイドルモード、又はサスペンド状態に遷移させる旨の指示をｅＮＢ２００に送信してもよい。
【００９４】
ステップＳ２６において、ＭＭＥ３００Ｃは、Ｌｉｇｈｔ  Ｃｏｎｎｅｃｔｅｄ状態に遷移したＵＥ１００（特定のＵＥ１００）宛てのＤＬデータ又はＮＡＳシグナリングを送信する必要が生じたか否かを判定する。ＭＭＥ３００Ｃは、Ｓ−ＧＷ３００Ｕからの通知に基づいて、特定のＵＥ１００宛てのＤＬデータを送信する必要が生じたか否かを判定してもよい。この場合、ＭＭＥ３００Ｃは、遷移通知の受信に応じて、監視要求をＳ−ＧＷ３００Ｕに送信してもよい。監視要求は、特定のＵＥ１００宛てのＤＬデータがあるか否かを監視するよう要求するメッセージである。
【００９５】
ステップＳ２７において「ＹＥＳ」である場合、ＭＭＥ３００Ｃは、遷移通知に含まれるＵＥ識別子に基づいて、特定のＵＥ１００の登録トラッキングエリアを判定する。ステップＳ２７において、ＭＭＥ３００Ｃは、登録トラッキングエリアに属するｅＮＢ２００に対して、Ｓ１ページングメッセージを送信する。Ｓ１ページングメッセージは、特定のＵＥ１００を識別するための識別子（ＵＥ識別子）を含む。
【００９６】
（３）第２実施形態に係るＬＴＥシステムの全体動作例
次に、第２実施形態に係るＬＴＥシステムの全体動作例について説明する。図１２は、第２実施形態に係るＬＴＥシステムの全体動作例を示す図である。図１２に示すｅＮＢ２００−１乃至２００−ｎは、同一のトラッキングエリアに属するｅＮＢ２００である。
【００９７】
図１２に示すように、ステップＳ２０１において、ｅＮＢ２００−１は、ＵＥ１００をＬｉｇｈｔ  Ｃｏｎｎｅｃｔｅｄ状態に遷移させる。
【００９８】
ステップＳ２０２において、ｅＮＢ２００−１は、Ｌｉｇｈｔ  Ｃｏｎｎｅｃｔｅｄ状態に遷移させるＵＥ１００に関する遷移通知（Ｌｉｇｈｔ  Ｃｏｎｎｅｃｔｉｏｎ  Ｉｎｄｉｃａｔｉｏｎ）をＭＭＥ３００Ｃに送信する。遷移通知は、Ｌｉｇｈｔ  Ｃｏｎｎｅｃｔｅｄ状態に遷移させるＵＥ１００（特定のＵＥ１００）を識別するための識別子（例えば、ＭＭＥ  ＵＥ  Ｓ１ＡＰ  ＩＤ）を含む。
【００９９】
ステップＳ２０３において、ＭＭＥ３００Ｃは、遷移通知の受信に応じて、監視要求（Ｎｏｔｉｆｙ  ＤＬ  ｄａｔａ  Ｒｅｑｕｅｓｔ）をＳ−ＧＷ３００Ｕに送信する。監視要求は、特定のＵＥ１００宛てのＤＬデータがあるか否かを監視するよう要求するメッセージである。当該メッセージは、特定のＵＥ１００を識別するための識別子（例えば、ＧＴＰ  ＴＥＩＤ）を含む。Ｓ−ＧＷ３００Ｕは、監視要求の受信に応じて、特定のＵＥ１００宛てのＤＬデータの監視を開始する。Ｓ−ＧＷ３００Ｕは、監視を開始する場合に、ＭＭＥ３００Ｃに対して、監視要求に対する肯定応答（ＡＣＫ）を送信してもよい。
【０１００】
ステップＳ２０４において、Ｓ−ＧＷ３００Ｕは、特定のＵＥ１００宛てのＤＬデータをＰ−ＧＷから受信する。Ｓ−ＧＷ３００Ｕは、Ｓ１−Ｕ接続を用いて、特定のＵＥ１００宛てのＤＬデータをｅＮＢ２００−１に転送してもよい（ステップＳ２０５）。或いは、Ｓ−ＧＷ３００Ｕは、特定のＵＥ１００宛てのＤＬデータの転送を暫定的に停止してもよい（第１実施形態に係るＯｐｔｉｏｎ  １参照）。ＭＭＥ３００Ｃは、監視要求と同じメッセージ又は監視要求とは異なるメッセージを用いて、このような停止を要求する監視要求をＳ−ＧＷ３００Ｕに送信してもよい。
【０１０１】
特定のＵＥ１００宛てのＤＬデータを受信した場合（ステップＳ２０６：ＹＥＳ）、ステップＳ２０７において、Ｓ−ＧＷ３００Ｕは、特定のＵＥ１００宛てのＤＬデータが存在することを示す通知（Ｎｏｔｉｆｙ  ＤＬ  ｄａｔａ）をＭＭＥ３００Ｃに送信する。
【０１０２】
ステップＳ２０８において、ＭＭＥ３００Ｃは、特定のＵＥ１００宛てのＤＬデータ又はＮＡＳシグナリングを送信する必要が生じたか否かを判定する。ＭＭＥ３００Ｃは、Ｓ−ＧＷ３００Ｕからの通知に基づいて、特定のＵＥ１００宛てのＤＬデータを送信する必要が生じたか否かを判定する。
【０１０３】
ステップＳ２０８において「ＹＥＳ」である場合、ＭＭＥ３００Ｃは、遷移通知に含まれるＵＥ識別子に基づいて、特定のＵＥ１００の登録トラッキングエリアを判定し、登録トラッキングエリアに属するｅＮＢ２００に対して、Ｓ１ページングメッセージを送信する。
【０１０４】
その後のページング（Ｐａｇｉｎｇ）プロシージ及びＲＲＣ接続復旧（ＲＲＣ  Ｃｏｎｎｅｃｔｉｏｎ  Ｒｅｓｕｍｅ）プロシージャについては、第１実施形態と同様である。
【０１０５】
（第２実施形態の変更例）
上述した第２実施形態において、Ｌｉｇｈｔ  Ｃｏｎｎｅｃｔｅｄ状態の遷移通知（Ｌｉｇｈｔ  Ｃｏｎｎｅｃｔｉｏｎ  Ｉｎｄｉｃａｔｉｏｎ）をｅＮＢ２００からＭＭＥ３００Ｃに送信する一例を説明した。しかしながら、遷移通知をＵＥ１００からＭＭＥ３００ＣにＮＡＳシグナリングにより送信してもよい。ＵＥ１００は、Ｌｉｇｈｔ  Ｃｏｎｎｅｃｔｉｏｎ状態への遷移指示の受信又はＬｉｇｈｔ  Ｃｏｎｎｅｃｔｉｏｎ状態への遷移に応じて、ＭＭＥ３００Ｃに対してＬｉｇｈｔ  Ｃｏｎｎｅｃｔｉｏｎ通知を行う。或いは、遷移通知をＵＥ１００又はｅＮＢ２００からＳ−ＧＷ３００Ｕ又はＰ−ＧＷに送信してもよい。
【０１０６】
（その他の実施形態）
上述した実施形態を別個独立に実施する場合に限らず、２以上の実施形態を組み合わせて実施してもよい。例えば、一の実施形態に係る一部の構成を他の実施形態に追加してもよい。或いは、一の実施形態に係る一部の構成を他の実施形態の一部の構成と置換してもよい。
【０１０７】
上述した実施形態において、移動通信システムとしてＬＴＥシステムを例示した。しかしながら、本発明はＬＴＥシステムに限定されない。ＬＴＥシステム以外のシステムに本発明を適用してもよい。
【０１０８】
（付記）
（１．はじめに）
本付記では、Ｌｉｇｈｔ  ＣｏｎｎｅｃｔｅｄのＵＥのためのページング拡張の選択肢の詳細について検討する。
【０１０９】
（２．検討）
（２．１．ページング拡張の原則）
（２．１．１．既存ページングソリューションにおける問題）
「ＲＡＮ開始のページングが可能かつ有益である」とＲＡＮ２は既に認識しているが、これまでに特定したソリューションが変更を正当化するのに十分な利点を持っているか、合理的な設計原理に基づいて他の選択肢も検討する必要があるかについて更に検討することが有用である。
【０１１０】
（２．１．１．１．静止または低モビリティＵＥのためのページング最適化）
Ｒｅｌ−１３以前には、ページングメッセージを送信しているセルにターゲットＵＥが実際に位置しているかどうかにかかわらず、ページングメッセージがトラッキングエリア内のすべてのセルで送信された。Ｒｅｌ−１３では、例えば、Ｓ１ページング内のＩＥ「Ｒｅｃｏｍｍｅｎｄｅｄ  Ｃｅｌｌｓ  ｆｏｒ  Ｐａｇｉｎｇ」のように、ＵｕおよびＳ１のシグナリング削減のために、ＲＡＮ３およびＳＡ２によってページング最適化が導入された。これらのＲｅｌ−１３メカニズムは、特にＭＴＣ  ＵＥのようなモビリティの低いＵＥに対しては効率的であるが、スマートフォンなどの通常のモビリティを有するＵＥを考慮した更なる最適化の余地がある。  例えば、ＭＭＥが、ＥＣＭ  ＩＤＬＥへの遷移時の「Ｉｎｆｏｒｍａｔｉｏｎ  Ｏｎ  Ｒｅｃｏｍｍｅｎｄｅｄ  Ｃｅｌｌｓ  Ａｎｄ  ＥＮＢｓ」に関する知識に基づいて、Ｓ１ページング内の推奨ｅＮＢ／セルのｅＮＢを決定したとしても、このＭＴ呼出時のＵＥが、推奨されるｅＮＢ／セルの外に既に移動している可能性がある。これによりページが欠落し、そのページに使用されたリソースが無駄になる。
【０１１１】
考察１：Ｒｅｌ−１３に導入されたページング最適化、例えばＳ１ページング内のＩＥ「Ｒｅｃｏｍｍｅｎｄｅｄ  Ｃｅｌｌｓ  ｆｏｒ  Ｐａｇｉｎｇ」は、静止または低モビリティＵＥに対してのみ効果的に働くことができる。
【０１１２】
提案１：ページング拡張は、静止または低移動性ＵＥに限定されず、すべてのタイプのモビリティ条件でＵＥをサポートすべきである。
【０１１３】
（２．１．１．２．より小さいトラッキングエリア配置）
ＲＡＮ開始のページングのメカニズムについてのさまざまなソリューションがＲＡＮ２によって提案されている。これらのソリューションの主な利点の１つは、ページングエリアを制限することである。ＲＡＮ開始のページングのエリアがトラッキングエリアのサブセットに設定されている場合、実際には、ネットワーク全体のページングメッセージ数を減らすのに貢献する。現在のＮＷ実装、例えば、より小さな領域で構成されるトラッキングエリアは、同様の利得を達成することができる。しかし、このようなＮＷ実装は、ＵＥからの過度のトラッキングエリア更新を引き起こし、それによって全体のシグナリングが増加する可能性があることが指摘されている。
【０１１４】
考察２：ページング領域が小さく設定されていると、ページングメッセージの数を減らすことはできるが、過剰なトラッキングエリアの更新を防ぐことはできない。  
【０１１５】
提案２：ページング拡張は、ＵＥのモビリティに起因するＵＬシグナリングの数を最小限に抑えるべきである。
【０１１６】
（２．１．２．合意からのビルディングブロック）
ＲＡＮ２は、「ＵＥがＬｉｇｈｔ  Ｃｏｎｎｅｃｔｅｄである場合、ＲＡＮ２の観点から、シグナリングの削減とレイテンシの削減の観点から、ＲＡＮ開始のページングは実現可能で有益である」と同意した。ＲＡＮ開始のページングは、Ｕｕのシグナリングとレイテンシの両方の削減に役立つ。「Ｌｉｇｈｔ  ＣｏｎｎｅｃｔｅｄのＵＥのＳ１接続が維持されて、かつ、アクティブ」である場合、Ｓ１ページングのシグナリングはもはや必要なくなり、Ｓ１−Ｕ接続確立によるレイテンシを排除することができる。しかし、ＲＡＮ２の観点からは、ＲＡＮ開始のページングがＵｕシグナリング／レイテンシの削減にどのように役立つかは依然として不明である。
【０１１７】
考察３：ＲＡＮ開始のページングがＵｕリンクのシグナリングとレイテンシの削減にどのように役立つのかは不明である。
【０１１８】
より良い解決策を構成し、議論を進めるために、ＲＡＮ開始のページングなどのページング拡張は、このセクションで説明する原則を用いて設計されるべきである。したがって、ＲＡＮ２はまずページング拡張の設計原則に同意する必要がある。
【０１１９】
（２．２．ページングの拡張機能の詳細）
次のセクションにおいて、ページング拡張のソリューションの設計選択肢／オプションを検討する。
【０１２０】
（２．２．１．選択１：ＲＡＮ制御のＤＬ送信）
（２．２．１．１．直接データ伝送又はページングメッセージ）
ＲＡＮ開始のページングでは、ｅＮＢは、Ｓ１ページングに頼ることなく、ＵＥのためのＤＬデータが到着する時にページングを行う必要性を認識し得る。ワーキング仮定は、「Ｌｉｇｈｔ  ＣｏｎｎｅｃｔｅｄのＵＥは、ｅＮＢまたはＭＭＥによって開始されたページングのトリガのみによって呼び出される」を言及しており、ページングメッセージがＵＥに送信されることを示唆しているが、詳細はまだ議論されていない。Ｕプレーンの観点から見ると、レガシーページング（ＭＭＥ開始）と新しいページング（ｅＮＢ開始）との間の相違は、ＤＬデータがまだＳ−ＧＷにあるか、または既にｅＮＢに到着しているかに基づいており、すなわち、Ｓ１接続が維持されており、かつ、アクティブである間に、ＣＮ内のルーティングは既に行われている。したがって、この場合、ページングメッセージが本当に必要かどうかを検討する価値があり、ｅＮＢがＬｉｇｈｔ  ＣｏｎｎｅｃｔｅｄのＵＥのＤＬデータを受信するときは、次のオプションを検討できる。
【０１２１】
オプション１：ｅＮＢは、（ＲＡＮレベル）ページングメッセージをＵＥに送信する。
【０１２２】
このオプションは、ＤＬデータ到着時に、ｅＮＢがＵＥにページングメッセージを送信するという仮定に基づいている。Ｕｕの観点から、ページングメッセージが、既存のページングに類似するかまたは既存のページングを再利用し得る。しかし、ＲＡＮレベルのページングがＵｕにおいて「シグナリングの削減とレイテンシの短縮の面で有益」であることが明白ではない。
【０１２３】
オプション２：ｅＮＢは、ページングメッセージなしで、ＤＬデータをＵＥに直接送信する。
【０１２４】
オプション２では、Ｕｕリンク上でのページングメッセージが必要ない。例えば、ｅＮＢが、ページを送信することなくＵＥに直ちにＤＬデータを送信する。これは、ＤＬデータが最初に複数のセルに送信される必要があることを意味してもよいが、複数のセルに送信する超過ＤＬデータの差がページングメッセージに必要なデータ量に匹敵するようにＤＬデータのボリュームを効率的に管理することができる。シグナリングメッセージの量は、既存のＤＲＸと同様に、ＵＥの電力消費を最小限に抑えるために、意図されたページング機会を介してＤＬデータを送信することによって低減することができる。このオプションの主な利点は、ページング手順のＲＴＴ（例えば、ページングおよびＲＲＣ接続要求）によるＤＬデータの送信の待ち時間の短縮である。詳細は、さらに説明され、モビリティの側面（ＵＥベースまたはＮＷベース）を含め、Ｃｏｎｎｅｃｔｅｄ  Ｌｉｇｈｔの定義方法に関連する可能性がある。
【０１２５】
提案３：ｅＮＢへのＤＬデータ到着時に、ＲＡＮ２は、ＵＥが最初にページングされるべきか（オプション１）、または直接的なＤＬデータ送信（オプション２）が好ましいかを議論すべきである。
【０１２６】
（２．２．１．２．ページングエリア）
ＲＡＮ制御のＤＬ伝送のオプション１が選択された場合、ページが既存のトラッキングエリアのように特定のエリア内で実行されるかどうかについてさらに議論すべきである。特定のエリアは、仮定のように、セルのグループ、すなわち、既に提案されているページングエリアの概念であるトラッキングエリアのサブセットに過ぎない。ページングの失敗を最小限に抑えるためにこのような概念を導入するのは簡単である。ページングエリアは、ＵＥコンテキストフェッチのためのＸ２接続の可用性、ＵＥのモビリティ状態、スペクトル効率などに依存することができるが、これは主にＮＷ実装までである。
【０１２７】
提案４：ＲＡＮ２は、ＵＥをページするための送信を行うセルのグループからなるページングエリアを導入すべきである。
【０１２８】
ＵＥがページングエリア内にある限り、ＵＥのモビリティはｅＮＢによって把握されると仮定することができる。一方、ＵＥがページングエリアの外に移動するときＵＥがどのように挙動するかについて議論すべきである。信頼できるページング手順を有するためには、既存のトラッキングエリア更新メカニズムと同様に、ＵＥがサービングセルに退出条件を通知するためのメカニズムが必要である。情報が外部セルの再選択前に提供されるのか、それが起こった後に提供されるのかは、更なる検討が必要である。
【０１２９】
提案５：ＲＡＮ２は、ＵＥがページングエリアの外に移動するときに、ＵＥがサービングセルに通知すべきかどうかについて議論すべきである。
【０１３０】
（２．２．２．選択肢２：ＭＭＥ制御のページング）
ＲＡＮ開始のページングが採用される可能性があるというＲＡＮ２の見解をＲＡＮ３が受け入れるかどうかは不明であるので、ＭＭＥは一般にモビリティ管理（ＭＭ）の責任を負うため、Ｌｉｇｈｔ  ＣｏｎｎｅｃｔｅｄのＵＥへのページングがＭＭＥによって開始される必要がまだあり得る。ＭＭＥがまだ最終決定を下す必要があると仮定すると、以下のオプションが考えられる。
【０１３１】
オプションＡ：ｅＮＢは、ＵＥがＬｉｇｈｔ  Ｃｏｎｎｅｃｔｅｄに移行したときにＭＭＥに通知する。
【０１３２】
ｅＮＢとＭＭＥは、ＵＥがＬｉｇｈｔ  Ｃｏｎｎｅｃｔｅｄであるかどうかの知識を同期させることができる。さらに、セクション２．１．１で説明したように、ＵＥのモビリティを考慮してトラッキングエリアレベルのページングを回避すべき場合、推奨ｅＮＢ／セルの同期のための更新手順を含めることは有益である。
【０１３３】
オプションＢ：Ｌｉｇｈｔ  ＣｏｎｎｅｃｔｅｄのＵＥへのＤＬデータが到着したとき、ｅＮＢはＭＭＥに「ページング要求」を送信する。
【０１３４】
このオプションでは、ｅＮＢはページングが必要なときにのみＭＭＥに指示を送信する。言い換えれば、オプションＡにおける頻繁なインディケーション、すなわちＩＤＬＥsaＬｉｇｈｔ  ＣｏｎｎｅｃｔｅｄsaＣｏｎｎｅｃｔｅｄのメッセージングを避けることができる。また、ＭＭＥとＳ−ＧＷとの間の潜在的なＣＮの影響を防止することもできる。オプションＡの場合と同様に、ページング要求は、Ｓ１ページングの範囲を制限する際にＭＭＥを支援するために、Ｒｅｌ−１３におけるページング最適化と同様に、推奨ｅＮＢ／セルを含むことができる。しかし、それが実際にＳ１の観点からシグナリングとレイテンシを減らすことができるかどうかは疑問である。
【０１３５】
この２のオプションにかかわらず、ページング最適化は、ＭＭＥ開始のページングが選択されるときに再利用されるべきである。上記のいくつかの拡張により、ＭＭＥは、ページングを開始するときに推奨ｅＮＢ／セルの最新情報を使用し得る。これはＵＥ  ＣＯＮＴＥＸＴ  ＲＥＬＥＡＳＥ  ＣＯＭＰＬＥＴＥでのみ提供されている。ＭＭＥがＰＡＧＩＮＧの範囲、すなわち、ターゲットｅＮＢの数を絞り込むことを容易にすることができるので、Ｓ１の観点から、シグナリングの低減には依然として有益である。
【０１３６】
考察４：ＭＭＥ開始のページングが選択されている場合は、Ｒｅｌ−１３で導入されたページング最適化の上にページング拡張機能を追加することが可能である。
【０１３７】
ＲＡＮ２の観点からは、ｅＮＢがＵＥの位置および／またはモビリティ状態を、例えばセル再選択時のＵＥからの通知によって知っている場合、セクション２．１．１で検討した問題を回避することができ、これにより、推奨ｅＮＢ／セルは、セクション２．２．１．２で検討したＲＡＮベースのページングエリアに関連付けられることができる。したがって、不必要なページを防止するために、ｅＮＢがＩＤＬＥでもＵＥの位置をどのように知っているかを議論する価値がある。これは、ページングエリア、すなわち提案４と、情報、すなわち提案５との組み合わせによって解決することができる。
【０１３８】
提案６：ＭＭＥ開始のページングが選択されたとしても、ＲＡＮ２は、Ｒｅｌ−１３ページング最適化が実行されるときに、ＮＷがＩＤＬＥまたはＬｉｇｈｔ  ＣｏｎｎｅｃｔｅｄのＵＥの位置及び／又はモビリティ状態を知ることが有用であるかどうかについて議論するべきである。
【０１３９】
米国仮出願第６２／３７２９００号（２０１６年８月１０日出願）の全内容が、参照により、本願明細書に組み込まれている。
【産業上の利用可能性】
【０１４０】
本発明は移動通信分野において有用である。
【図１】
0006567192.tif 000002
【図２】
0006567192.tif 000003
【図３】
0006567192.tif 000004
【図４】
0006567192.tif 000005
【図５】
0006567192.tif 000006
【図６】
0006567192.tif 000007
【図７】
0006567192.tif 000008
【図８】
0006567192.tif 000009
【図９】
0006567192.tif 000010
【図１０】
0006567192.tif 000011
【図１１】
0006567192.tif 000012
【図１２】
0006567192.tif 000013
【図１３】
0006567192.tif 000014
【図１４】
0006567192.tif 000015
【図１５】
0006567192.tif 000016